(57)【要約】【課題】本発明は、極めて商品価値の高い画期的な糸収納具及び縫合糸収納具を提供することを目的とする。【解決手段】糸１を収納するためのものであって、板状基体２の周縁部には前記糸１を巻回する糸巻き部３が設けられ、この糸巻き部３には該糸巻き部３に巻回された前記糸１の外方に配され該糸１の脱落を阻止する糸保持部４が設けられ、この糸保持部４は、常態においては前記糸１の通過を許容せず、前記糸１を前記糸巻き部３に巻回させようとする所定の巻回圧以上の巻回圧で前記糸保持部４に対して該糸１を圧接させた際には変形して該糸１の通過を許容するように構成されたものである。【選択図】図２
2010005306.tif 000002
【特許請求の範囲】
【請求項１】
糸を収納するためのものであって、板状基体の周縁部には前記糸を巻回する糸巻き部が設けられ、この糸巻き部には該糸巻き部に巻回された前記糸の外方に配され該糸の脱落を阻止する糸保持部が設けられ、この糸保持部は、常態においては前記糸の通過を許容せず、前記糸を前記糸巻き部に巻回させようとする所定の巻回圧以上の巻回圧で前記糸保持部に対して該糸を圧接させた際には変形して該糸の通過を許容するように構成されていることを特徴とする糸収納具。
【請求項２】
手術用の縫合糸を収納するためのものであって、板状基体の周縁部には前記縫合糸を巻回する糸巻き部が設けられ、この糸巻き部には該糸巻き部に巻回された前記縫合糸の外方に配され該縫合糸の脱落を阻止する糸保持部が設けられ、この糸保持部は、常態においては前記縫合糸の通過を許容せず、前記縫合糸を前記糸巻き部に巻回させようとする所定の巻回圧以上の巻回圧で前記糸保持部に対して該縫合糸を圧接させた際には変形して該縫合糸の通過を許容するように構成されていることを特徴とする縫合糸収納具。
【請求項３】
手術用の縫合糸を収納するためのものであって、板状基体の周縁部には前記縫合糸を巻回する糸巻き部が設けられ、この糸巻き部には外方へ突出し対向位置に配され該糸巻き部に巻回された前記縫合糸の脱落を阻止する一対の糸保持部が設けられ、この一対の糸保持部は、常態においては前記縫合糸の通過を許容せず、前記縫合糸を前記糸巻き部に巻回させようとする所定の巻回圧以上の巻回圧で前記糸保持部に対して該縫合糸を圧接させた際には変形して該縫合糸の通過を許容するように構成されていることを特徴とする縫合糸収納具。
【請求項４】
請求項３記載の縫合糸収納具において、前記一対の糸保持部は、前記板状基体の周縁部表側に設けられる第一糸保持体と該第一糸保持体に隣接し且つ前記周縁部裏側に設けられる第二糸保持体とで構成されていることを特徴とする縫合糸収納具。
【請求項５】
請求項４記載の縫合糸収納具において、前記第一糸保持体若しくは前記第二糸保持体は断面Ｌ字状であり、常態においては側面視閉じた箱状となるものであることを特徴とする縫合糸収納具。
【請求項６】
請求項４，５いずれか１項に記載の縫合糸収納具において、前記第一糸保持体若しくは前記第二糸保持体は肉薄部を設けたものであることを特徴とする縫合糸収納具。
【請求項７】
請求項３〜６いずれか１項に記載の縫合糸収納具において、前記一対の糸保持部は前記板状基体の周縁部に複数設けられていることを特徴とする縫合糸収納具。
【請求項８】
請求項３〜７いずれか１項に記載の縫合糸収納具において、前記一対の糸保持部は合成樹脂製であり、前記縫合糸を前記糸巻き部に巻回させようとする所定の巻回圧以上の巻回圧で前記糸保持部に対して該縫合糸を圧接させた際には弾性変形するものであることを特徴とする縫合糸収納具。
【請求項９】
請求項３〜８いずれか１項に記載の縫合糸収納具において、前記縫合糸は手術用の針付の縫合糸であることを特徴とする縫合糸収納具。
【請求項１０】
請求項３〜９いずれか１項に記載の縫合糸収納具において、前記板状基体には針を係止する針係止部が設けられていることを特徴とする縫合糸収納具。
【請求項１１】
請求項１０記載の縫合糸収納具において、前記針係止部は、前記板状基体の表面に突設される凸部に前記針を挟持するスリットを設けたものであり、前記スリットは前記板状基体の所定部位を表裏面方向へ押圧変形させることで挟持間隔が可変するように構成されていることを特徴とする縫合糸収納具。
【発明の詳細な説明】
【技術分野】
【０００１】
本発明は、糸収納具及び縫合糸収納具に関するものである。
【背景技術】
【０００２】
従来から、手術用の縫合糸を収納するためものとして、例えば特開平６−２８５０７６号に開示される縫合糸収納具（以下、従来例）が提案されている。
【０００３】
この従来例は、板状基体の周縁部に縫合糸を周方向に巻回する糸巻き部を設けたものであり、また、板状基体の表面には縫合糸の先端に付設される針を保持する針保持部が設けられている。
【０００４】
【特許文献１】特開平６−２８５０７６号公報
【発明の開示】
【発明が解決しようとする課題】
【０００５】
ところで、従来例に係る板状基体の周縁部には、糸巻き部の外方対向位置に配され該糸巻き部に巻回された縫合糸の脱落を阻止する糸保持部が所定間隔を介して複数並設されている。
【０００６】
具体的には、この各糸保持部は、板状基体の表面側周縁部と裏面側周縁部との間に架設状態となる糸保持体を、裏面側周縁部に起伏擺動自在に設けるとともに、この糸保持体の先端部に板状基体の表面側周縁部に係止する係止部を設けた構成である。
【０００７】
従って、糸巻き部に縫合糸を巻回する場合、板状基体の表側周縁部に対する係止部の係止状態を解除して糸保持体を起き擺動させて縫合糸の巻回可能な状態とし、この状態で糸巻き部に縫合糸を巻回する。その後、糸保持体を伏し擺動させて板状基体の表側周縁部に係止部を係止させ、この糸保持体により縫合糸の脱落を阻止する状態が得られることになる。
【０００８】
しかしながら、従来例は、前述したように糸巻き部に縫合糸を巻回する毎に、一つ一つ糸保持部を操作（全ての糸保持体の係止部を係止させる操作、全ての糸保持体の係止部の係止状態を解除させる操作及び全ての糸保持体を起伏擺動する操作）するのが非常に厄介で作業性が悪く、しかも、この糸保持部の操作を自動化しようとすると非常に複雑な構造となってコスト高となってしまい、よって、この糸保持部が縫合糸の収納作業を自動化しようとする際の妨げとなっているのが現状である。
【０００９】
本発明は、上述した問題点を解決するものであり、極めて商品価値の高い画期的な縫合糸収納具を提供するものである。
【課題を解決するための手段】
【００１０】
添付図面を参照して本発明の要旨を説明する。
【００１１】
糸１を収納するためのものであって、板状基体２の周縁部には前記糸１を巻回する糸巻き部３が設けられ、この糸巻き部３には該糸巻き部３に巻回された前記糸１の外方に配され該糸１の脱落を阻止する糸保持部４が設けられ、この糸保持部４は、常態においては前記糸１の通過を許容せず、前記糸１を前記糸巻き部３に巻回させようとする所定の巻回圧以上の巻回圧で前記糸保持部４に対して該糸１を圧接させた際には変形して該糸１の通過を許容するように構成されていることを特徴とする糸収納具に係るものである。
【００１２】
また、手術用の縫合糸１を収納するためのものであって、板状基体２の周縁部には前記縫合糸１を巻回する糸巻き部３が設けられ、この糸巻き部３には該糸巻き部３に巻回された前記縫合糸１の外方に配され該縫合糸１の脱落を阻止する糸保持部４が設けられ、この糸保持部４は、常態においては前記縫合糸１の通過を許容せず、前記縫合糸１を前記糸巻き部３に巻回させようとする所定の巻回圧以上の巻回圧で前記糸保持部４に対して該縫合糸１を圧接させた際には変形して該縫合糸１の通過を許容するように構成されていることを特徴とする縫合糸収納具に係るものである。
【００１３】
また、手術用の縫合糸１を収納するためのものであって、板状基体２の周縁部には前記縫合糸１を巻回する糸巻き部３が設けられ、この糸巻き部３には外方へ突出し対向位置に配され該糸巻き部３に巻回された前記縫合糸１の脱落を阻止する一対の糸保持部４が設けられ、この一対の糸保持部４は、常態においては前記縫合糸１の通過を許容せず、前記縫合糸１を前記糸巻き部３に巻回させようとする所定の巻回圧以上の巻回圧で前記糸保持部４に対して該縫合糸１を圧接させた際には変形して該縫合糸１の通過を許容するように構成されていることを特徴とする縫合糸収納具に係るものである。
【００１４】
また、請求項３記載の縫合糸収納具において、前記一対の糸保持部４は、前記板状基体２の周縁部表側に設けられる第一糸保持体６と該第一糸保持体６に隣接し且つ前記周縁部裏側に設けられる第二糸保持体７とで構成されていることを特徴とする縫合糸収納具に係るものである。
【００１５】
また、請求項４記載の縫合糸収納具において、前記第一糸保持体６若しくは前記第二糸保持体７は断面Ｌ字状であり、常態においては側面視閉じた箱状となるものであることを特徴とする縫合糸収納具に係るものである。
【００１６】
また、請求項４，５いずれか１項に記載の縫合糸収納具において、前記第一糸保持体６若しくは前記第二糸保持体７は肉薄部６ａ，７ａを設けたものであることを特徴とする縫合糸収納具に係るものである。
【００１７】
また、請求項３〜６いずれか１項に記載の縫合糸収納具において、前記一対の糸保持部４は前記板状基体２の周縁部に複数設けられていることを特徴とする縫合糸収納具に係るものである。
【００１８】
また、請求項３〜７いずれか１項に記載の縫合糸収納具において、前記一対の糸保持部４は合成樹脂製であり、前記縫合糸１を前記糸巻き部３に巻回させようとする所定の巻回圧以上の巻回圧で前記糸保持部４に対して該縫合糸１を圧接させた際には弾性変形するものであることを特徴とする縫合糸収納具に係るものである。
【００１９】
また、請求項３〜８いずれか１項に記載の縫合糸収納具において、前記縫合糸１は手術用の針９付の縫合糸１であることを特徴とする縫合糸収納具に係るものである。
【００２０】
また、請求項３〜９いずれか１項に記載の縫合糸収納具において、前記板状基体２には針９を係止する針係止部10が設けられていることを特徴とする縫合糸収納具に係るものである。
【００２１】
また、請求項１０記載の縫合糸収納具において、前記針係止部10は、前記板状基体２の表面に突設される凸部10ａに前記針９を挟持するスリット10ｂを設けたものであり、前記スリット10ｂは前記板状基体２の所定部位を表裏面方向へ押圧変形させることで挟持間隔が可変するように構成されていることを特徴とする縫合糸収納具に係るものである。
【発明の効果】
【００２２】
本発明は上述のように構成したから、前述した従来例に比し、糸の収納状態（糸巻き部に糸が脱落しないで巻回された状態）が極めて簡易に得られることになり、しかも、この糸の収納状態を簡易に得るための構造が、糸を糸巻き部に巻回させようとする所定の巻回圧以上の巻回圧で糸保持部に対して糸を圧接させて変形させるだけのシンプルな動作により行われる極めて簡易構造であるから、糸の収納作業の自動化を容易に実現することができ、ひいては糸の収納作業における作業性の飛躍的な向上が望めることになるなど極めて商品価値の高い画期的な糸収納具となる。
【発明を実施するための最良の形態】
【００２３】
好適と考える本発明の実施形態を、図面に基づいて簡単に説明する。
【００２４】
糸巻き部３に糸１（例えば手術用の縫合糸１）を巻回する場合、糸１を糸巻き部３に巻回させようとする所定圧以上の巻回圧で糸保持部４に対して糸１を圧接させると、糸保持部４は変形して糸１の通過を許容するから、そのまま糸１を糸保持部４を通過させて糸巻き部３へ糸１を巻回（収納）する。この糸巻き部３への糸１の収納が完了すると、糸保持部４に対する糸１の圧接が解除されるから、糸保持部４は常態に戻り、糸巻き部３に巻回された糸１の脱落が阻止される状態となる。
【００２５】
よって、単に糸１を糸巻き部３に巻回させようとする所定の巻回圧以上の巻回圧で糸保持部４に対して糸１を圧接させて変形させるだけで、糸保持部４を通過して糸巻き部３へ糸１を巻回することができ、前述した従来例に比し、糸１の収納状態（糸巻き部に糸１が脱落しないで巻回された状態）が極めて簡易に得られることになる。
【００２６】
また、本発明は、前述した糸１の収納状態を簡易に得るための構造が、単に糸１を糸巻き部３に巻回させようとするだけの動作により行われる極めて簡易構造であるから、糸１の収納作業の自動化を容易に実現することができ、ひいては糸１の収納作業における作業性の飛躍的な向上が望めることになる。
【実施例】
【００２７】
本発明の具体的な一実施例について図面に基づいて説明する。
【００２８】
本実施例は、糸１を収納するためのものであって、板状基体２の周縁部には糸１を巻回する糸巻き部３が設けられ、この糸巻き部３には外方へ突出し対向位置に配され該糸巻き部３に巻回された糸１の脱落を阻止する一対の糸保持部４が設けられたものである。尚、本実施例では、巻回する糸１として手術用の針９付の縫合糸１を採用している。
【００２９】
以下、本実施例に係る構成各部について詳細な説明をする。
【００３０】
板状基体２は、図１に図示したように適宜な可撓性を有する合成樹脂製の部材で形成した平面視形状が小判形状の板状体であり、この板状基体２の周縁部には糸巻き部３が設けられている。尚、板状基体２の平面視形状としては前述したものに限らず、周縁が直線縁の無い湾曲縁のみで形成された形状（円形状や楕円形状）でも良いなど本実施例の特性を発揮する構成であれば適宜採用し得るものである。
【００３１】
糸巻き部３は、図１〜３に図示したように板状基体２の周縁部に凹溝を設けて構成されており、この凹溝の内底面は板状基体２の厚み方向に所定の高さを有する糸巻き面３ａに設定されている。
【００３２】
従って、この糸巻き部３に縫合糸１を巻回することができ、この糸巻き部３に巻回された縫合糸１の脱落の阻止は後述する一対の糸保持部４によって行われる。
【００３３】
糸保持部４は、糸巻き部３を間に配した板状基体２の周縁部に設けられる第一糸保持体６と第二糸保持体７とを、板状基体２の周縁部に交互に配することで糸巻き部３に巻回された縫合糸１を保持する部分である。
【００３４】
具体的には、図１〜３に図示したように糸巻き部３の一側縁に突出形成して成る断面Ｌ字状の第一糸保持体６と、糸巻き部３の他側縁に突出形成して成る断面Ｌ字状の第二糸保持体７とで構成されており。
【００３５】
従って、第一糸保持体６と第二糸保持体７とで側面視閉じた箱状となり、よって、縫合糸１は糸巻き部３に進入できず、また、糸巻き部３に巻回された縫合糸１は脱落が阻止される。
【００３６】
また、一対の糸保持部４（第一糸保持体６及び第二糸保持体７）は、先端部に肉薄部６ａ，７ａを設けたものであり、常態においては縫合糸１の通過を許容せず、縫合糸１を糸巻き部３に巻回させようとする所定の巻回圧以上の巻回圧で糸保持部４に対して縫合糸１を圧接させた際には変形し、縫合糸１の通過を許容するように構成されている。
【００３７】
具合的には、第一糸保持体６及び第二糸保持体７夫々の屈曲先端部６ａ，７ａは、肉薄部に形成されて樹脂製故に適度な弾性を有して内側方向へ押圧することで屈曲変形し得るように構成されている。
【００３８】
従って、縫合糸１を糸巻き部３に巻回させようとする所定圧以上の巻回圧で第一糸保持体６及び第二糸保持体７に対して交互に糸１を圧接させた際、第一糸保持体６及び第二糸保持体７は夫々屈曲先端部６ａ，７ａが内側へ屈曲変形（倒伏変形）し、縫合糸１の通過を許容することになる（図４〜８参照）。
【００３９】
尚、第二糸保持体７若しくは第一糸保持体６のみ屈曲変形するようにしても良い。
【００４０】
また、板状基体２の表面には針９を保持する針係止部10が設けられている。
【００４１】
この針係止部10は、図１，２，９，10，11に図示したように板状基体２の表面に突設される凸部10ａに針９を挟持するスリット10ｂを設けたものであり、スリット10ｂは該スリット10ｂの巾方向に板状基体２を押圧変形させることで挟持間隔が広がるように構成されている（図９，10参照）。
【００４２】
前述した構成を具備する本実施例に係る縫合糸収納具は、板状基体２に第一糸保持体６と第二糸保持体７を交互に配した構造の為、数多くの複雑な形状の金型の組み合わせによる成形でなく、一対のシンプルな形状の金型（割型）を用いるだけで簡易に成形することができ、コスト安にして量産性に秀れることになる。
【００４３】
以上の構成からなる本実施例に対する縫合糸１の巻回作業について説明する。
【００４４】
先ず、縫合糸１の先端部に付設された針９を針係止部10に保持せしめる。この針係止部10に対する針９の保持は、板状基体２を押圧変形させることでスリット10ｂの挟持間隔を広げ、この状態でスリット10ｂに針９を配して挟持保持せしめる（図９，10参照）。
【００４５】
続いて、縫合糸１を糸巻き部３に巻回させようとする所定圧以上の巻回圧で糸保持部４（第一糸保持体６及び第二糸保持体７夫々の屈曲先端部６ａ，７ａ）に対して縫合糸１を圧接させると、糸保持部４（第一糸保持体６及び第二糸保持体７夫々の屈曲先端部６ａ，７ａ）は屈曲変形して縫合糸１の通過を許容することになる（図４〜６参照）。そのまま縫合糸１を糸保持部４を通過させて糸巻き部３へ縫合糸１を巻回する（図７参照）。この糸巻き部３への巻回が完了した後、糸保持部４に対する縫合糸１の圧接が解除されると、糸保持部４は閉じて該糸巻き部３に巻回された縫合糸１の脱落が阻止される状態が得られる。
【００４６】
この要領で糸巻き部３へ所定の巻数だけ縫合糸１を巻回する（図３，８参照）。尚、縫合糸１の基端部は板状基体２に係止したりせず該縫合糸１の張力により保持される。
【００４７】
この本実施例に収納された針９付きの縫合糸１を使用する際には、針係止部10から針９を取り外し、この針９を引くことで糸巻回部３から縫合糸１を引き抜くことができる。
【００４８】
本実施例は上述のように構成したから、単に糸１を糸巻き部３に巻回させようとする所定圧以上の巻回圧で糸保持部４に対して糸１を圧接させて変形させるだけで、糸保持部４を通過して糸巻き部３へ糸１を巻回することが行われることになり、前述した従来例に比し、糸１の収納状態（糸巻き部に糸１が脱落しないで巻回された状態）が極めて簡易に得られることになる。
【００４９】
また、本実施例は、前述した糸１の収納状態を簡易に得るための構造が、単に糸１を糸巻き部３に巻回させようとするだけのシンプルな動作により行われる極めて簡易構造であるから、糸１の収納作業の自動化を容易に実現することができ、ひいては糸１の収納作業における作業性の飛躍的な向上が望めることになる。
【００５０】
尚、本発明は、本実施例に限られるものではなく、各構成要件の具体的構成は適宜設計し得るものである。
【図面の簡単な説明】
【００５１】
【図１】本実施例を示す平面図である。
【図２】本実施例を示す斜視図である。
【図３】本実施例に係る要部の説明図である。
【図４】本実施例に係る要部の動作説明図である。
【図５】本実施例に係る要部の動作説明図である。
【図６】本実施例に係る要部の動作説明図である。
【図７】本実施例に係る要部の動作説明図である。
【図８】本実施例に係る要部の動作説明図である。
【図９】本実施例に係る要部の説明斜視図である。
【図１０】本実施例に係る要部の説明斜視図である。
【図１１】本実施例の使用状態説明図である。
【符号の説明】
【００５２】
１  糸・縫合糸
２  板状基体
３  糸巻き部
４  糸保持部
６  第一糸保持体
６ａ  肉薄部
７  第二糸保持体
７ａ  肉薄部
９  針
10  針係止部
10ａ  凸部
10ｂ  スリット
【図１】
2010005306.tif 000003
【図２】
2010005306.tif 000004
【図３】
2010005306.tif 000005
【図４】
2010005306.tif 000006
【図５】
2010005306.tif 000007
【図６】
2010005306.tif 000008
【図７】
2010005306.tif 000009
【図８】
2010005306.tif 000010
【図９】
2010005306.tif 000011
【図１０】
2010005306.tif 000012
【図１１】
2010005306.tif 000013